(57)【要約】【課題】記録形光ディスクへデータを記録する際に形成するピット形状のばらつきを減少させて、再生時のジッタを改善する光ディスク記録方法、及び光ディスク記録装置を提供する。【解決手段】光ディスクへ照射するレーザ光を、パルス波形の先頭部におけるレーザ照射パワーが、それ以降よりも大きくなるように設定するとともに、光ディスクに形成するピットの長さが短いほど、前記先頭部におけるレーザ照射パワーを大きくしてデータを記録する。したがって、光ディスクに形成するピットの長さが短いほど、前記先頭部におけるレーザ照射パワーを大きくしてデータを記録するので、形成するピットの前端部にも十分熱が加えられ、例えば３Ｔや４Ｔのように短いピットの場合でも、ピットの前端部が半円形又は楕円形に形成されて、ピットの長さが安定してぱらつきが改善される。【選択図】図３
2004022131.tif 000002
【特許請求の範囲】
【請求項１】
記録パルス波形の先頭部におけるレーザ照射パワーが、それ以降よりも大きくなるようにレーザ光を光ディスクへ照射し、所定種類の異なる長さのピットをデータに応じて形成して、データを記録する光ディスク記録方法であって、
前記光ディスクに形成するピットの長さが短いほど、前記先頭部におけるレーザ照射パワーを大きくすることを特徴とする光ディスク記録方法。
【請求項２】
光ディスクにレーザ光を照射してピットを形成する照射手段と、
記録パルス波形の先頭部におけるレーザ照射パワーがそれ以降よりも大きく、光ディスクに形成する前記ピットの長さが短いほど、該先頭部におけるレーザ照射パワーを大きくする照射パターンで、レーザ光を照射するように前記照射手段を制御する制御手段と、を備えたことを特徴とする光ディスク記録装置。
【請求項３】
前記照射パターンを記憶する記憶手段を備え、
前記制御手段は、該記憶手段から読み出した前記照射パターンに応じたレーザ光を照射して、データを記録するように前記照射手段を制御することを特徴とする請求項２に記載の光ディスク記録装置。
【発明の詳細な説明】
【０００１】
【発明の属する技術分野】
この発明は、記録形光ディスクへデータを記録する際に形成するピットの形状ばらつきを減少させて、光ディスク再生時のジッタを改善する技術に関する。
【０００２】
【従来の技術】
ＣＤ−ＲやＣＤ−ＲＷなどの記録形光ディスクには、レーザ光を照射してデータを記録する。例えば、ＣＤ−Ｒの場合、照射したレーザ光は有機色素層（記録層）に吸収されて熱となり、この熱で有機色素層を溶かすことによって、ピットを形成してデータを記録する。また、ＣＤ−ＲＷの場合、照射したレーザ光は記録層に吸収されて熱となり、この熱で記録層の状態を結晶状態又はアモルファス（非晶）状態に相変化させてデータを記録する。
【０００３】
記録形光ディスクは、種類によって記録層の材質などが異なるので、データを記録する際に照射するレーザ光の最適な照射タイミングやレーザパワーの最適値を、光ディスクに応じて設定する必要がある。そのため、光ディスク記録装置は、レーザ光の照射パワーを制御するためのレーザ照射パターンであるライトストラテジを、光ディスクの種類に応じて複数記憶している。光ディスク記録装置は、光ディスクへデータを記録する際に、光ディスクの種類を判別して、その光ディスクに応じたライトストラテジに従ってレーザ光（レーザパルス）を照射して、光ディスクにデータを記録する。
【０００４】
また、光ディスク記録装置は、記録するデータに応じて長さの異なるピットやランドを形成してデータを記録する。例えば、ＣＤ−Ｒの場合、光ディスク記録装置は、記録するデータに応じて３Ｔ〜１１Ｔの９種類のピット及びランドを光ディスクに形成する。また、光ディスク記録装置は、各ピットを上部から見た形状が長円形又は楕円形になるように光ディスクへレーザ光を照射して、データを記録する。
【０００５】
図５は、従来のライトストラテジ（ノーマルライトストラテジ）における記録パルスの波形図、及び形成されるピットの形状の上面概観図である。従来の光ディスク記録装置は、図５（Ａ）に示したような記録パルスを光ディスクへ照射してデータを記録している。すなわち、従来の光ディスク記録装置は、形成するピットの長さに関わらず、照射するレーザパワーのピーク値の大きさＰｂは一定である。また、記録するビットの長さに応じてレーザ光の照射時間を変えるように設定された記録パルスを照射して光ディスクへデータを記録していた。
【０００６】
図５に示したノーマルライトストラテジの記録パルスを光ディスクに照射した場合、図５（Ｂ）に示した形状のピットが光ディスクに形成される。すなわち、光ディスクに形成するピットが、１０Ｔや１１Ｔのような長いピットの場合、ピットの形状は、前端部及び後端部が半円形又は半楕円形の長円形となる。一方、３Ｔや４Ｔのような短いピットの場合、ピットの形状は長いピットの場合に対して、前端部が半円形又は半楕円形とはならずに、比較的涙形のような形状となる。このような形状になるのは、光ディスクに照射したレーザ光で有機色素層を溶かす時の熱伝導が大きく影響するためである。つまり、長いピットを形成する場合は、光ディスクは長時間レーザ光の照射を受けるので、ピット形成部分における総熱量が多くなる。そのため、ピットの前端部方向にも熱が伝導して、ピットの前端部は、略半円形又は半楕円形になる。一方、短いピットを形成する場合は、光ディスクがレーザ光の照射を受けるのは短時間であるので、ピット形成部分における総熱量は長いピットを形成する場合に比べて少ない。そのため、ピットの前端部方向にはほとんど熱が伝導しないので、短いピットの場合は、前端部が半円形又は半楕円形にならない。
【０００７】
そこで、従来、ピットの前端部にも十分な熱量が加わるようにする記録方法として、パワードライトストラテジに従って光ディスクにデータを記録する方法がある。図６は、従来のパワードライトストラテジ波形図、及び形成されるピットの形状の上面概観図である。図６（Ａ）に示したように、パワードライトストラテジの記録パルスの場合、パルス波形の先頭部におけるレーザ照射パワーが、それ以降よりも大きくなるようにレーザ光を光ディスクへ照射する。すなわち、パルスの立ち上がり時に、ピーク値Ｐｔまでレーザ照射パワーを大きくしてレーザ光を照射する（先頭部）。このピーク値Ｐｔは、図５（Ａ）に示したライトストラテジのレーザパワーのピーク値Ｐｂよりも大きな値である。続いて、レーザ照射パワーがピーク値Ｐｔのレーザ光の照射を所定時間続けてから、レーザ照射パワーをＰｂまで下げて、そのレーザ照射パワーのレーザ光の照射を所定時間続ける。そして、レーザ照射パワーを０にする。
【０００８】
このように、パワードライトストラテジを用いた場合、記録パルスの先頭部で他の部分よりも大きなレーザパワーのレーザ光を照射してピットを形成するので、図５（Ｂ）に示したノーマルライトストラテジの場合の形状と比べて、図６（Ｂ）に示したように、ピットの前端部の形状は改善される。すなわち、３Ｔや４Ｔのような短いピットを形成した場合でも、涙形のような形状にはならずに、比較的長円形に近い形状のピットが形成されるようになる。
【０００９】
なお、従来のパワードライトストラテジでは、形成するピットの大きさに関わらず、Ｐｔの大きさは同じである。また、各ピットを形成する際の先頭部の時間軸方向の幅（照射時間）は、形成するピット大きさが異なっても同一にしている。また、先頭部の照射時間を、形成するピットの大きさが大きくなるほど長くなるように制御する方法もある。
【００１０】
【発明が解決しようとする課題】
しかしながら、パワードライトストラテジでピットを形成してデータを記録しても、短いピットの場合、その前端部の形状が長いピットのようなきれいな半円形又は半楕円形には形成されない場合があるという問題があった。そのため、短いピットの長さにばらつきが生じてジッタ値が高くなってしまう。また、音楽データを記録した光ディスクを光ディスク再生装置で再生した場合に、ジッタ値が高いと、良い音質が得られないなどの弊害が生じる。
【００１１】
そこで、本発明は上記の問題を解決するために、記録形光ディスクへデータを記録する際に形成するピット形状のばらつきを減少させて、再生時のジッタを改善する光ディスク記録方法、及び光ディスク記録装置を提供することを目的とする。
【００１２】
【課題を解決するための手段】
この発明は、上記の課題を解決するための手段として、以下の構成を備えている。
【００１３】
（１）記録パルス波形の先頭部におけるレーザ照射パワーが、それ以降よりも大きくなるようにレーザ光を光ディスクへ照射し、所定種類の異なる長さのピットをデータに応じて形成して、データを記録する光ディスク記録方法であって、前記光ディスクに形成するピットの長さが短いほど、前記先頭部におけるレーザ照射パワーを大きくすることを特徴とする。
【００１４】
この構成においては、光ディスクへ照射するレーザ光を、パルス波形の先頭部におけるレーザ照射パワーが、それ以降よりも大きくなるように設定するとともに、光ディスクに形成するピットの長さが短いほど、前記先頭部におけるレーザ照射パワーを大きくしてデータを記録する。したがって、光ディスクに形成するピットの長さが短いほど、前記先頭部におけるレーザ照射パワーを大きくしてデータを記録するので、形成するピットの前端部にも十分熱が加えられ、例えば３Ｔや４Ｔのように短いピットの場合でも、ピットの前端部が半円形又は楕円形に形成されて、ピットの長さが安定してぱらつきが改善される。よって、短いピットのジッタを改善することが可能となる。
【００１５】
（２）光ディスクにレーザ光を照射してピットを形成する照射手段と、
記録パルス波形の先頭部におけるレーザ照射パワーがそれ以降よりも大きく、光ディスクに形成する前記ピットの長さが短いほど、該先頭部におけるレーザ照射パワーを大きくする照射パターンで、レーザ光を照射するように前記照射手段を制御する制御手段と、を備えたことを特徴とする。
【００１６】
この構成においては、光ディスク記録装置の制御部は、記録パルス波形の先頭部におけるレーザ照射パワーがそれ以降よりも大きく、光ディスクに形成する前記ピットの長さが短いほど、該先頭部におけるレーザ照射パワーを大きくする照射パターンで、レーザ光を照射するように照射手段を制御する。したがって、（１）と同様の効果を得ることができる。
【００１７】
（３）前記照射パターンを記憶する記憶手段を備え、
前記制御手段は、該記憶手段から読み出した前記照射パターンに応じたレーザ光を照射して、データを記録するように前記照射手段を制御することを特徴とする。
【００１８】
この構成においては、記憶手段は、先頭部におけるレーザ照射パワーがそれ以降よりも大きく、光ディスクに形成する前記ピットの長さが短いほど、該先頭部におけるレーザ照射パワーを大きくする照射パターンを記憶している。また、制御手段は、この照射パターンを記憶手段から読み出す。したがって、制御手段は、形成するピットに応じて、レーザ照射パワーを演算などを行って求めることなく、速やかにレーザ照射パワーを設定することが可能となる。
【００１９】
【発明の実施の形態】
以下に、本発明の実施形態に係る光ディスク記録装置について説明する。図１は、本発明の実施形態に係る光ディスク記録装置の構成を示したブロック図である。図１に示したように、光ディスク記録装置１は、フィードモータ８、ガイドレール９、照射手段である光ピックアップ１０、スピンドルモータ１１、ＲＦアンプ１２、サーボ回路１３、アドレス検出回路１４、デコーダ１５、制御手段である制御部１６、エンコーダ１７、ストラテジ回路１８、レーザドライバ１９、レーザパワー制御回路２０、周波数発生器２１、エンベロープ検出回路２２、β検出回路２４、記憶部２５、操作部２７、及び表示部２８を備えている。また、光ディスク記録装置１は、ホストコンピュータ５に接続されている。
【００２０】
フィードモータ８は、光ピックアップ１０を光ディスクＤの半径方向に移動させるための駆動力を供給するモータである。
【００２１】
ガイドレール９は、光ピックアップ１０が光ディスクＤの半径方向に移動するように、光ピックアップ１０を支持する。
【００２２】
スピンドルモータ１１は、データを記録する対象である光ディスクＤを回転駆動するモータである。また、スピンドルモータ１１の回転軸先端部には、光ディスクＤを保持（チャッキング）するためのターンテーブルなどからなる図外の光ディスク保持機構が設けられている。
【００２３】
光ピックアップ１０は、レーザダイオード、レンズ及びミラーなどの光学系、戻り光（反射光）受光素子、並びにフォーカスサーボ機構などを備えている。また、記録及び再生時には光ディスクＤに対してレーザ光を照射して、光ディスクＤからの戻り光を受光して受光信号であるＥＦＭ（Ｅｉｇｈｔ　ｔｏ　Ｆｏｕｒｔｅｅｎ　Ｍｏｄｕｌａｔｉｏｎ）変調されたＲＦ信号をＲＦアンプ１２に出力する。なお、フォーカスサーボ機構は、光ピックアップ１０のレンズと光ディスクＤのデータ記録面との距離を一定に保つためのサーボ機構である。また、光ピックアップ１０は、モニタダイオードを備えており、光ディスクＤの戻り光によってモニタダイオードに電流が生じ、この電流がレーザパワー制御回路２０へ供給されるようになっている。
【００２４】
周波数発生器２１は、スピンドルモータ１１が出力した光ディスクＤの相対位置信号を検出して、光ディスクＤの回転角度や回転数を検出するための信号をサーボ回路１３に出力する。
【００２５】
ＲＦアンプ１２は、光ピックアップ１０から供給されるＥＦＭ変調されたＲＦ信号を増幅して、増幅後のＲＦ信号をサーボ回路１３、アドレス検出回路１４、エンベロープ検出回路２２、β検出回路２４、及びデコーダ１５に出力する。
【００２６】
デコーダ１５は、再生時には、ＲＦアンプ１２から供給されるＥＦＭ変調されたＲＦ信号をＥＦＭ復調して再生データを生成し、データ記憶回路２５に出力する。また、デコーダ１５は、データ記録時には、テスト記録によって記録された領域を再生する際に、ＲＦアンプ１２から供給されたＲＦ信号をＥＦＭ復調する。
【００２７】
アドレス検出回路１４は、ＲＦアンプ１２から供給されたＥＦＭ信号からウォブル信号成分を抽出し、このウォブル信号成分に含まれる各位置の時間情報（アドレス情報）、及び光ディスクＤを識別する識別情報（ディスクＩＤ）や光ディスクＤの色素などディスクの種類を示す情報を復号し、制御部１６に出力する。なお、上記のウォブル信号成分に含まれる各位置の時間情報（アドレス情報）、及び光ディスクＤを識別する識別情報（ディスクＩＤ）やディスクの色素などディスクの種類を示す情報は、ＡＴＩＰ（Ａｂｓｏｌｕｔｅ　ｔｉｍｅ　ｉｎ　ｐｒｅｇｒｏｏｖｅ）情報とも称する。
【００２８】
β検出回路２４は、光ディスクＤのテスト記録領域を再生している時に、ＲＦアンプ１２から供給されるＲＦ信号から再生信号品位に関するパラメータとしてβ（アシンメトリ）を算出し、算出結果を制御部１６に出力する。ここで、βは、ＥＦＭ変調された信号波形のピークレベル（符号は＋）をａ、ボトムレベル（符号は−）をｂとすると、β＝（ａ＋ｂ）／（ａ−ｂ）で求めることができる。
【００２９】
エンベロープ検出回路２２は、光ディスクＤへテスト記録を行う前に、光ディスクＤのテスト領域のどの部分からテスト記録を開始するかを検出するために、上述した光ディスクＤのカウント領域１１２ｂにおけるＥＦＭ信号のエンベロープを検出する。
【００３０】
サーボ回路１３は、スピンドルモータ１１の回転制御、並びに光ピックアップ１０のフォーカス制御、トラッキング制御、及びフィードモータ８による光ピックアップ１０の送り制御を行う。本実施形態に係る光ディスク記録装置１では、記録時には光ディスクＤを角速度一定で駆動する方式であるＣＡＶ（Ｃｏｎｓｔａｎｔ　Ａｎｇｕｌａｒ　Ｖｅｌｏｃｉｔｙ）方式と、光ディスクＤを線速度一定にして駆動する方式であるＣＬＶ（Ｃｏｎｓｔａｎｔ　Ｌｉｎｅａｒ　Ｖｅｌｏｃｉｔｙ）方式と、を切り替えて行うことができるようになっている。そのため、サーボ回路１３は、制御部１６から供給される制御信号に応じてＣＡＶ方式とＣＬＶ方式とを切り替える。ここで、サーボ回路１３によるＣＡＶ制御では、周波数発生器２１によって検出されるスピンドルモータ１１の回転数が、設定された回転数と一致するように制御される。また、サーボ回路１３によるＣＬＶ制御では、ＲＦアンプ１２から供給された信号のウォブル信号成分が設定された線速度倍率相当になるようにスピンドルモータ１１が制御される。
【００３１】
エンコーダ１７は、システム記憶部３２から出力された記録データをＥＦＭ変調し、ストラテジ回路１８に出力する。ストラテジ回路１８は、エンコーダ１７からのＥＦＭ信号に対して時間軸補正処理などを行い、レーザドライバ１９に出力する。レーザドライバ１９は、ストラテジ回路１８から供給される記録データに応じて変調された信号と、レーザパワー制御回路２０の制御信号と、に従って光ピックアップ１０のレーザダイオードを駆動する。
【００３２】
レーザパワー制御回路２０は、光ピックアップ１０のレーザダイオードから照射されるレーザ光のパワーを制御する。具体的には、レーザパワー制御回路２０は、光ピックアップ１０のモニタダイオードから出力される電流値と、制御部１６から送信される最適なレーザパワーの目標値を示す情報と、に基づいて、最適なレーザパワーのレーザ光が光ピックアップ１０から照射されるように、レーザドライバ１９を制御する。
【００３３】
制御部１６は、ＣＰＵ、ＲＯＭ、及びＲＡＭ等から構成されており、ＲＯＭに格納されたプログラムに従って光ディスク記録装置１の各部を制御する。制御部１６は、上述したようにデータの本記録に先立ち、光ディスク記録装置１にセットされた光ディスクＤの後述するＰＣＡに対し、テスト記録を行うように装置の各部を制御する。そして、制御部１６は、ＰＣＡを再生した際に得た信号から、β検出回路２４によって検出されたβ値などの信号品位などに基づいて、光ディスク記録装置１がテスト記録を行った光ディスクＤに対して、記録エラーの無い良好な記録を行うことができる記録速度を求める処理を行う。
【００３４】
記憶部２５は、実験などを行って予め求めたデータや、光ディスク記録装置１のファームウェアなどを記憶しておくためのものである。
【００３５】
操作部２７は、ユーザが光ディスク記録装置１の各種制御や操作を行うためのものである。
【００３６】
表示部２８は、光ディスクＤに記録したデータの信号品位や、光ディスク記録装置１からユーザに伝達する情報などを表示するためのものである。
【００３７】
ここで、光ディスクＤの領域構成について、図２を用いて説明する。図２は、光ディスクＤの領域構成を示した断面図である。光ディスクＤは、外径が１２０ｍｍであり、光ディスクＤの直径４６〜５０ｍｍの区間がリードイン領域１１４として用意され、その外周側にデータを記録するプログラム領域１１８及び残余領域１２０が用意されている。また、リードイン領域１１４よりも内周側には、パワー校正領域であるＰＣＡ（Ｐｏｗｅｒ　Ｃａｌｉｂｒａｔｉｏｎ　Ａｒｅａ）１１２が用意されている。また、内周側のＰＣＡ１１２には、テスト領域１１２ａと、カウント領域１１２ｂと、が用意されている。このテスト領域１１２ａには、前述のように本記録に先立ち、テスト記録が実施される。ここで、テスト領域１１２ａとしては、テスト記録を複数回行うことができる領域が用意されている。また、カウント領域１１２ｂには、テスト記録終了時にテスト領域１１２ａのどの部分まで記録が終了しているかを示すＥＦＭ信号が記録される。したがって、次にこの光ディスクＤに対してテスト記録を行う際には、カウント領域１１２ｂのＥＦＭ信号を読みとることにより、テスト領域１１２ａのどの位置からテスト記録を開始すれば良いかがわかるようになっている。
【００３８】
次に、光ディスク記録装置１の光ディスクＤへの基本的なデータ記録方法について説明する。図３は、本発明のパワードライトストラテジにおける記録パルス波形図、及び形成されるピットの形状の上面概観図である。本発明の光ディスク記録装置１では、従来の光ディスク記録装置と同様に、パルス波形の先頭部におけるレーザ照射パワーが、それ以降よりも大きくなるように設定した記録パルスのレーザ光を光ディスクＤへ照射してデータを記録する。また、先頭部の時間軸方向の幅は、形成するピットに関わらず同じ幅（照射時間）となるように制御する。
【００３９】
さらに、本発明の光ディスク記録装置１は、図３に示したように、光ディスクＤに形成するピットの長さが短いほど、光ディスクＤに照射するレーザ光の先頭部の照射パワーＰｔを大きくして、光ディスクＤにピットを形成する。３Ｔのピットを形成する際に照射するレーザ光の先頭部の照射パワーをＰｔ３、４Ｔのピットの場合をＰｔ４、以下１１Ｔのピットの場合まで同様に符号を設定すると、各ピットを形成する際に照射するレーザ光の先頭部の照射パワーは、次式の関係となる。すなわち、Ｐｔ３＞Ｐｔ４＞Ｐｔ５＞Ｐｔ６＞Ｐｔ７＞Ｐｔ８＞Ｐｔ９＞Ｐｔ１０＞Ｐｔ１１となる。
【００４０】
これにより、形成するピットの長さが短いほど、形成するピットの前端部に印加する熱量を増加させることになる。このようにするのは、従来の方法では、形成するピットの長さが短いほど、ピットを形成するための熱量が少なく、ピットの前端部への熱伝導が悪いため、ピットの前端部の形状が前記のように涙形になっていたからである。しかし、上記の方法を実施することで、図６に基づいて説明した従来のパワードライトストラテジよりも速やかに、ピットの前端部を溶かすことができる。したがって、３Ｔや４Ｔのように短いピットの場合でも、ピットの前端部が半円形又は楕円形に形成されて、ピットの長さが安定することができ、ピット長のばらつきを改善できる。さらに、特に短いピットのジッタを改善することができる。
【００４１】
また、本発明の光ディスク記録装置１は、上記のようなパワードライトストラテジの記録パルスでデータを記録するために、ファームウェアのデータとしてストラテジパラメータと同様に、記録パルスの先頭部のレーザ照射パワーＰｔの大きさを決めるためのパワード比率をテーブルとして記憶部２５に記憶している。そして、光ディスク記録装置１は、光ディスクＤのＡＴＩＰ情報やＯＰＣなどに基づいて、ライトストラテジの最適パラメータテーブルを選択して読み込む。続いて、その最適パラメータテーブルに基づいてストラテジ回路１８及びレーザパワー制御回路２０を制御して、光ディスクＤへ照射するレーザ照射パワーを制御する。
【００４２】
上記のストラテジパラメータテーブルは、直前に形成したピットやランドの長さに応じてレーザ照射パワーを変えることができるように、設定したテーブルである。このテーブルを用いることで、形成したピットの長さにばらつきが生じるのを抑制できる。例えば、１１Ｔのピットを形成後に３Ｔのランドを設けた場合と、１１Ｔのピットを形成後に１１Ｔのランドを設けた場合と、では、次にピットを形成する際のレーザダイオードの余熱量などが異なる。そのため、直前に形成したピットやランドの長さに関わらず、形成するピットの長さ毎に同じレーザ照射パワーのレーザ光を照射するように設定していると、形成したピットの長さにばらつきが生じる。しかし、光ディスク記録装置１の制御部１６は、記憶部２５に格納しているストラテジパラメータテーブルを読み出すことで、ピットを形成するために光ディスクＤへ照射するレーザ照射パワーを、直前に形成したピットやランドの長さに応じて変えることができる。したがって、ピットの長さのばらつきを抑制することができ、ジッタ値を小さくすることができる。
【００４３】
また、上記のパワード比率テーブルは、パワードライトストラテジの記録パルスにおける先頭部のレーザ照射パワーＰｔと、先頭部以降のレーザ照射パワーＰｂと、の比率（大きさ）を格納したものである。また、前記のストラテジパラメータテーブルと同様に、直前に形成したピットやランドの長さに応じてレーザ照射パワーＰｔとＰｂとの比率を変えることができるように、複数の値が設定されている。
【００４４】
本発明の光ディスク記録装置１では、データを記録する際に、ストラテジパラメータテーブルから読み出したパラメータと、パワード比率テーブルから読み出したパラメータと、に基づいて記録パルスの波形の形状が決定される。
【００４５】
なお、従来は、前記のように、光ディスクの種類によって最適なライトストラテジが異なるため、光ディスクの種類に応じてライトストラテジを設定していたが、本発明においても同様に、光ディスクの種類に応じたライトストラテジを設定する。そのため、複数のテーブルを記憶部２５に記憶させている。
【００４６】
また、ピットを形成する際に照射するレーザ光の先頭部の照射パワー及び照射時間（幅）も、光ディスクの種類に応じて異なる設定にすることで、ピットの前端部の形状を半円形又は半楕円形に確実に設定でき、ピット長のばらつきをさらに抑制できる。そのため、光ディスクの種類に応じた複数のテーブルを記憶部２５に記憶させておく。
【００４７】
なお、ストラテジパラメータテーブル及びパワード比率テーブルのデータは、予め実験等によって求めておき、光ディスク記録装置１の記憶部２５に記憶させておくと良い。
【００４８】
次に、本発明の光ディスク記録装置１のデータを記録する際の具体的な動作について説明する。図４は、光ディスク記録装置１の動作を説明するためのフローチャートである。光ディスク記録装置１で記録形光ディスク（例えば、ＣＤ−Ｒとする。）にデータを記録する手順は、以下の通りである。
【００４９】
まず、ユーザは、データを記録するＣＤ−Ｒを光ディスク記録装置１にセットして、データを記録するために操作部２７で操作を行う。制御部１６は、セットされた記録用光ディスクの種類を判別するために、サーボの自動調整を行い、サーボ回路１３、レーザパワー制御回路２０、エンコーダ１７にそれぞれ所定の信号を出力する（ｓ１）。これらの信号が出力されると、光ピックアップ１０は、フィードモータ８によって所定の位置に移動されるとともに、レーザ光（光ビーム）を記録用光ディスクに照射する。光ピックアップ１０の受光素子は、照射光の戻り光を受光して、受光量に応じた電気信号をＲＦアンプ１２に出力する。ＲＦアンプ１２は、この信号を増幅してアドレス検出回路１４に出力して、アドレス検出回路１４でＡＴＩＰ情報（光ディスクの識別情報など）が検出され、制御部１６に出力される（ｓ２）。制御部１６は、このＡＴＩＰ情報に基づいて光ディスクの種類を判別する。
【００５０】
続いて、制御部１６は、ＯＰＣ（Ｏｐｔｉｍｕｍ　Ｐｏｗｅｒ　Ｃｏｎｔｒｏｌ　）を実施して、データの記録前にレーザ記録パワーを設定する。すなわち、記憶部２５が記憶しているＯＰＣの実施パターンをＲＡＭに読み出して、このパターンデータをエンコーダ１７で符号化してストラテジ回路１８を介してレーザドライバ１９に送信する。また、このパターンデータに基づいて、光ピックアップ１０のレーザダイオードのレーザ記録パワーを制御するために、レーザパワー制御回路２０に所定の信号を出力する（ｓ３）。
【００５１】
レーザドライバ１９は、ストラテジ回路１８及びレーザパワー制御回路２０からの信号に基づいて、光ピックアップ１０のレーザダイオードを制御して、ＯＰＣ用のパターンデータを光ディスクＤのＰＣＡに記録させる（ｓ４）。例えば、ＯＰＣの実施パターンが前記のパターンの場合、記録パワーを１５段階に変化させて行い、１つの記録パワーにつき１サブコードフレーム分のＥＦＭ信号を記録し、合計１５サブコードフレーム（１５／７５ｓｅｃ）分のＥＦＭ信号を記録する。
【００５２】
β検出回路２４は、光ピックアップ１０の光受光素子が受光した、光ディスクに照射したレーザ光の反射光の信号が、ＲＦアンプ１２を介して送信されると、β値を検出して制御部１６に出力する（ｓ５）。制御部１６は、レーザパワー制御回路２２に出力したレーザダイオードのレーザ記録パワー制御信号と、ＯＰＣを行って取得したβ値から、レーザパワーＰとβ値との関係を求めておく（ｓ６）。
【００５３】
さらに、光ディスク記録装置１の制御部１６は、光ディスクのＡＴＩＰ情報（光ディスクの種類の情報）、及びｓ６で求めたＯＰＣの結果に基づいて、記憶部２５に記憶させたストラテジパラメータテーブル及びパワード比率テーブルからパワードライトストラテジの最適パラメータテーブルを選択する。そして、内蔵のＲＡＭに読み込む（ｓ７）。
【００５４】
続いて、データの記録を行う。制御部１６は、ホストコンピュータ５へ記録データの送信要求を行う（ｓ１１）。ホストコンピュータ５から送信された記録データは、エンコーダ１７に入力される（ｓ１２）。この時、制御部１６は、最適なレーザパワーのレーザ光を光ピックアップ１０から照射するために、エンコーダ１７へ所定の信号を出力する（ｓ１３）。エンコーダ１７は、記録データをＥＦＭ変調して、ストラテジ回路１８は、ｓ７でＲＡＭに読み込んだ最適パラメータテーブルに従って、記録データの時間軸補正処理等を行って、レーザドライバ１９へ出力する（ｓ１４）。そして、レーザドライバ１９は、ストラテジ回路１８から出力された信号と、レーザパワー制御回路２０から出力された信号と、に基づいた信号を光ピックアップ１０に出力する（ｓ１５）。光ピックアップ１０は、記録するデータに応じたレーザ照射パワーのレーザ光を光ディスクＤに照射して、ピット及びランドを形成して（つまり、本発明のパワードライトストラテジの記録パルスで）、データを記録する（ｓ１６）。この時、制御部１６は、記録データが無くなるまでｓ１２〜ｓ１６の処理を並行して行う。また、データに応じた記録パルスで記録を続けるように、サーボ回路１３、ストラテジ回路１８、レーザパワー制御回路２０などを介して光ピックアップ１０を制御する。制御部１６は、記録データが無くなると、データの記録処理を終了する。
【００５５】
【発明の効果】
本発明によれば、光ディスクに形成するピットの長さが短いほど、前記先頭部におけるレーザ照射パワーを大きくしてデータを記録する。これにより、形成するピットの前端部にも十分熱が加えられ、例えば３Ｔや４Ｔのように短いピットの場合でも、ピットの前端部が半円形又は楕円形に形成されて、ピットの長さを安定させてぱらつきを改善できる。よって、短いピットのジッタを改善できる。
【図面の簡単な説明】
【図１】本発明の実施形態に係る光ディスク記録装置の構成を示したブロック図である。
【図２】光ディスクの領域構成を示した断面図である。
【図３】本発明のパワードライトストラテジにおける記録パルス波形図、及び形成されるピットの形状の上面概観図である。
【図４】光ディスク記録装置１の動作を説明するためのフローチャートである。
【図５】従来のライトストラテジ（ノーマルライトストラテジ）における記録パルスの波形図、及び形成されるピットの形状の上面概観図である。
【図６】従来のパワードライトストラテジ波形図、及び形成されるピットの形状の上面概観図である。
【符号の説明】
Ｄ−光ディスク
１−光ディスク記録装置
５−ホストコンピュータ
１０−光ピックアップ
１６−制御部
１８−ストラテジ回路
２０−レーザパワー制御回路
２５−記憶部
【図１】
2004022131.tif 000003
【図２】
2004022131.tif 000004
【図３】
2004022131.tif 000005
【図４】
2004022131.tif 000006
【図５】
2004022131.tif 000007
【図６】
2004022131.tif 000008